(57)【要約】【課題】  例えば、プルオーバー、カーディガン、ボレロ等の輪郭にカーブラインを形成し、また多数のモチーフがあっても製作時間を短縮でき、リメーク等のためにも容易かつ迅速にほどけるようにする。【解決手段】    複数かつ同径のモチーフ１、１、１・・・・を斜め方向に連続編みし、しかも輪郭ＯＬを形成する前記同径のモチーフ１、１、１・・・・群の中に、前記各モチーフ１より大きい径大モチーフ２、２を編み込んで前記輪郭ＯＬを湾曲させることを特徴とするものである。【選択図】  図１
2010236104.tif 000002
【特許請求の範囲】
【請求項１】
複数かつ同径のモチーフを斜め方向に連続編みし、しかも輪郭を形成する前記同径のモチーフ群の中に、前記各モチーフより大きい径大モチーフを編み込んで前記輪郭を湾曲させることを特徴とするかぎ針編み方法。
【請求項２】
請求項１のかぎ針編み方法により形成されたことを特徴とする編み物。
【発明の詳細な説明】
【技術分野】
【０００１】
本発明は毛糸などの糸をかぎ針により編む方法および編み物に関する。
【背景技術】
【０００２】
従来から複数かつ同径のモチーフ（模様の主題を構成する単位。以下同じ）を個別に製作した後、これらをつないだり、前記モチーフを縦若しくは横方向に連続編みし、また前記方法により編み物を製作している。
【先行技術文献】
【特許文献】
【０００３】
【特許文献１】なし。
【非特許文献】
【０００４】
【非特許文献１】なし。
【発明の概要】
【発明が解決しようとする課題】
【０００５】
前記従来例では、いずれもショール、テーブルセンター等の編地若しくは和服のようなカーブラインのないストレートな輪郭だけによる衣服しか得られず、プルオーバー、カーディガン、ボレロ等のように輪郭にカーブラインを必要とする衣服を製作することができない。
【０００６】
また多数のモチーフを個別につないだ場合、製作に時間がかかり、さらにリメーク等のためにこれらをほどくにも手間、時間がかかる。
【０００７】
本発明は前記不都合を解消することを課題にする。
【課題を解決するための手段】
【０００８】
本発明は第１に、複数かつ同径のモチーフを斜め方向に連続編みし、しかも輪郭を形成する前記同径のモチーフ群の中に、前記各モチーフより大きい径大モチーフを編み込んで前記輪郭を湾曲させることを特徴とするものである。
【０００９】
また本発明は第２に、前記第１のかぎ針編み方法により形成されたことを特徴とする編み物である。
【発明の効果】
【００１０】
本発明は輪郭に所望のカーブラインを有するかぎ針編み物、例えばプルオーバー、カーディガン、ボレロ等の衣服を製作することができる。
【００１１】
また編み物の製作時間を短縮でき、さらにリメイクするような場合に連続して極めて容易かつ迅速にほどくことができる。
【図面の簡単な説明】
【００１２】
【図１】本発明第１例におけるモチーフの配列を示す正面図である。
【図２】同上の背面図である。
【図３】同上の分解説明図である。
【図４】本発明第２例におけるモチーフの配列を示す中間省略を示した正面図である。
【図５】同上にあみ方記号を付加した部分拡大図である。
【図６】本発明のあみ方記号による部分拡大図である。
【図７】同上の接続部を示す部分拡大図である。
【図８】従来第１モチーフ例と本発明第１モチーフ例との原理を比較した説明図である。
【図９】従来第２モチーフ例と本発明第２モチーフ例との原理を比較した説明図である。
【図１０】従来第３モチーフ例と本発明第３モチーフ例との原理を比較した説明図である。
【図１１】従来第４モチーフ例と本発明第４モチーフ例との原理を比較した説明図である。
【図１２】本発明による斜め連続編みと従来例の縦横編みによる比較説明図である。
【発明を実施するための形態】
【００１３】
基本的に複数かつ同径のモチーフ１、１、１・・・・をたとえば図１、２、３のＡ１〜Ａ３８（前記数字は編み順を意味する。以下同じ）で示すように編み糸を切らずに斜め方向に連続編みする。連続編み自体は本発明においても従来からの周知の編み方によるものであり、その詳細な説明は省略し、本発明の特徴部分を以下のとおり説明する。
【００１４】
前記連続編みＡ１〜Ａ３８の途中でＡ２１で示す他の複数かつ同径のモチーフ１、１、１・・・・より大きい径大モチーフ２を編み込む。この径大モチーフ２の位置、大きさ、数は目的とする編み物（製作品）により異なるが、湾曲した輪郭ＯＬを形成したい所望位置に編み込む。前記例ではＡ２０とＡ２２との間に別に編んだＡ２１を挿入して、これらをつなぐのではなく、Ａ２０、Ａ２１、Ａ２２と順に途切れることなく、連続して編み進める。
【００１５】
ここで前記方法により湾曲部３が形成される理由を図８により説明する。この例は円形モチーフの場合を示すもので、一定の範囲（距離）Ｌ内に（Ｘ）で示すように複数かつ同径のモチーフ１、１、１・・・・を並設すると前記モチーフ１、１・・・・群は直立する。つまり従来はこの方法で編んでいたのでストレートな輪郭の編地しか形成されない。
【００１６】
一方、（Ｘ）の１点鎖線で示すように各同径のモチーフ１より大きい径大モチーフ２を入れると、一定の範囲（距離）Ｌ内では、（Ｙ）で示すように距離ｌ１、ｌ２が加算されるため湾曲部３が形成される。さらに前記モチーフ１、１・・・・、径大モチーフ２を二つ折りすると、（Ｚ）の２点鎖線で示す湾曲ライン４を出すことができる。
【００１７】
図９、１０、１１は他のモチーフの場合を示すものであり、前記円形モチーフの場合と原理的に同一であり、同一部分については同一符号を付けてその詳細な説明を省略する。図９の（Ｘ）では六角モチーフ１、１、１・・・・が直立した状態である。径大モチーフ２はモチーフ１の一辺とほぼ同一および僅かに大きい辺とからなる七角形である。正円と異なり、六角形で同径モチーフ１、１・・・・より大きい径の径大モチーフ２を形成し、しかも連続編みするには、径大モチーフ２の一辺を可能な限りモチーフ１の一辺の距離に均等にしつつ径大化する必要があり、図示のような七角形で試作したところ成功したものである。これは糸、例えば毛糸のような素材自体、特にモチーフ自体に伸縮性があるため、多少の誤差を吸収できるからである。
【００１８】
図１０は三角モチーフの場合を示すものであり、この三角形のモチーフ１、１・・・は前記六角のモチーフを六等分してなるもので、６個の三角形により形成される六角モチーフ１′より大きい径大モチーフ２を前記同様、七角形にしたものである。
【００１９】
図１１は花モチーフの場合を示すもので、（Ｘ）で示すように１２枚の花弁１ａ、１ａ、１ａ・・・・からなる同径の花形のモチーフ１、１、１・・・・の間に、（Ｙ）で示すように前記モチーフ１より大きい径の１４枚の花弁２ａ、２ａ、２ａ・・・・からなる径大モチーフ２を編み込んだものであり、いずれも本発明方法により湾曲部３が形成され、二つ折りにした場合は湾曲ライン４を出すことができる。
【００２０】
図６は頭書のＡ２０とＡ２２のモチーフ１、１の間に径大モチーフ２としてＡ２１を編み込んだ場合の径大モチーフ２の周辺のモチーフ１、１、１・・・・の状態を示すものであり、前記各モチーフ１、２は対向する外回りの山型部５、５、５・・・および接続用ループ６、６・をそれぞれ、接続しつつ連続して編むものであり、前記の接続手段自体は従来から周知であり、それ自体の詳細な説明を省略する。図７は図６からモチーフ部分を省略し、接続部分である各山型部５、各接続用ループ６を示して接続手段を明示したものである。
【００２１】
また本発明はモチーフ１、１、１・・・・、２を連続編みするが、縦横に連続編みするものではなく、図６のように斜め方向に連続するものである。
【００２２】
縦横に連続編みする場合と、斜め方向に連続する場合の原理上の差を説明する。縦横に連続編みすると、図１２の（ｂ）で示す湾曲する最右列ｂ１と左隣列ｂ２との間に大きい隙間ｂ３が形成される。この隙間ｂ３を後述のために左隣りに仮想線で示す。一方、斜めに連続編みすると、（ａ）で示す湾曲する最右列ａ１と左隣列ａ２との間に隙間ｂ３より小さい隙間ａ３が形成される（以下の説明のために左隣りに仮想線で示す）。図示の隙間ａ３、ｂ３は編み物全体の隙間の合計と考えられ、これらの隙間ａ３、ｂ３は各モチーフ１、２の周囲に誤差として配分する必要がある。この配分面積が小さいほど所望の編み物が形成しやすいことはいうまでもなく、本発明では配分面積の小さい斜め方向に連続編みすることにより所望の編み物を製作することができたものである。
【実施例１】
【００２３】
プルオーバーを例にあげ、図１〜３により説明する。図１はプルオーバーの前側モチーフ１、径大モチーフ２の編み順を示し、図２はその後側を示す。図３は説明の便宜上、編み順符号を（Ａ）（Ｂ）（Ｃ）（Ｄ）に分けた図で、必ずしも４つの連続編み群を示したものではなく、以下の説明のように（Ｂ）（Ｃ）（Ｄ）とが連続している場合もある。
【００２４】
また編み物において当然であるが、「編み進める」、「編み戻る」といった場合、既に編んだモチーフ列が隣りにあるときは、各モチーフの外回りを接続しながら「進む」若しくは「戻る」ものである。
【００２５】
さらに以下の説明では、連続してしているが、図１、図２で示す「前側」と「後側」とにモチーフの位置が変わる際は、わかりやすくするため「前」若しくは「後」の表示をする。
【００２６】
ａ．「前」「後」モチーフ１、１・・・、２をＡ１からＡ２５まで斜め連続編みをする。
【００２７】
このときＡ２１のみ径大モチーフ２であり、他はモチーフ１である。またＡ９、Ａ１４、Ａ２１では二つ折りし、Ａ１４からＡ１６まで、またＡ２１からＡ２５まで「後」に編み進み、糸を切らずに休む。つまり図３の糸玉Ａの状態にしておく。なお、Ａ４からＡ５へはＡ４からＡ２まで編み戻り、Ａ５に編み進む。Ａ９からＡ１０へはＡ９からＡ５に編み戻り、Ａ１０に編み進む。「後」のＡ１６から「前」のＡ１７へはＡ１６からＡ１０に編み戻り、Ａ１７に編み進む。
【００２８】
ｂ．前記糸玉Ａとは別の糸玉からモチーフ１、１、１・・・、２をＢ１からＢ５９の順で斜め連続編みする。
【００２９】
このときの編み順は、「後」Ｂ１からＢ１２まで編み進み、Ｂ１２からＢ１に編み戻り、Ｂ１３に編み進む。Ｂ１３からＢ２６に編み進み、このＢ２６で「前」に二つ折りするとともに、Ｂ２６を「後」でＢ１３に編み戻り、Ｂ１３からＢ２７に編み進み、このＢ２７からＢ４０に編み進み、Ｂ４０を「前」に二つ折りするとともにＢ４２まで編み進み、Ｂ４２からＢ４０、続いて「後」のＢ２７まで編み戻り、このＢ２７を「前」に二つ折りしてＢ４３に編み進み、Ｂ４３からＢ４５に編み進み、Ｂ４５を「後」に二つ折りしてＢ５６に編み進み、Ｂ５６を二つ折りして「前」にし、Ｂ５７からＢ５９まで編み進み、糸を切らずに休む。つまり図１・３の糸玉Ｂの状態にしておく。
【００３０】
前記Ｂ１からＢ５９中、Ｂ１、Ｂ５、Ｂ５６のみ径大モチーフ２であり、他はモチーフ１である。
【００３１】
ｃ．「後」Ａ２５つまり糸玉Ａの残り糸でＢ１１、Ａ２５、Ｂ１０、Ａ２４と接続し、Ａ２１まで編み戻る。二つ折りの「前」Ａ２１をＡ１７まで編み戻り、Ａ１７からＡ２６そしてＡ２６からＡ２９まで編み進み、Ａ２９からＡ２６まで編み戻り、Ａ２６からＡ３０そしてＡ３０からＡ３３まで編み進んだ後、Ｂ５に接続し、さらにＡ３３からＡ３０に編み戻り、Ａ３０からＡ３４そしてＡ３４からＡ３８まで編み進んでＡを仕上げ、さらにＡ糸をＢ４に接続した後、Ａ３８からＡ３４、Ａ３４からＡ３０、Ａ２６、Ａ１７、Ａ１０、Ａ５、Ａ２、Ａ１と編み戻り、Ａ糸は切らず後で裾を仕上げる。
【００３２】
ｄ．「前」Ｂ５９つまり糸玉Ｂの残り糸をＡ１、Ａ２に接続し、Ｂ５９からＢ５６まで編み戻り、二つ折りのＢ５６を「後」でＢ５６からＢ４５まで編み戻り、二つ折りのＢ４５から「前」のＢ４３に編み戻り、このＢ４３をＢ６０に編み進み、Ｂ６０からＢ６３に編み進み、このＢ６３を「後」に二つ折りするとともにＢ７２まで編み進み、このＢ７２から「前」のＢ７３へと編み進み、Ｂ７３からＢ７６に編み進み、このＢ７６をＡ２、Ａ５に接続しながらＢ７６に戻り、Ｂ７６からＢ７３、そして「後」のＢ７２を経てＢ６３に編み戻り、二つ折りのＢ６３を「前」のＢ６０まで編み戻り、Ｂ６０からＢ７７に、そしてこのＢ７７からＢ８１に編み進んで「後」に二つ折りし、Ｂ８１からＢ８９に編み進み、さらにこのＢ８９を「前」に二つ折りし、Ｃ１に編み進める。ＢとＣとは説明の便宜上、符号を分けただけで、ＢとＣとは同じ糸の連続である。そしてＣ１からＣ４へと編み進み、Ａ５、Ａ１０に接続し、Ｃ４からＣ１に編み戻ってＣ５に編み進み、Ｃ５からＣ７に編み進み、このＣ７をＡ１０、Ａ１７に接続するとともにＣ５まで編み戻り、Ｃ８、Ｃ９、Ｃ８、Ｃ１０の順に編む。Ｃ１０からはＣ８、Ｃ５、Ｃ１、Ｂ８９の順で編み戻り、二つ折りのＢ８９を「後」のＢ８１まで編み戻り、さらに二つ折りのＢ８１を「前」のＢ７７に編み戻り、Ｂ７７からＣ１１に編み進み、Ｃ１１からＣ１６に編み進み、Ｃ１６で「後」に二つ折りにし、このＣ１６からＣ２３に編み進み、Ｃ２３で「前」に二つ折りし、Ｃ２３からＣ２８まで編み進む。そしてＣ２８から二つ折りのＣ２３まで編み戻り、Ｄ１に進む。このＣとＤも説明の便宜上、符号を分けただけでＢ、ＣとＤは同じ糸の連続である。
【００３３】
「前」においてＤ１、Ｄ２、Ｄ３と編み進み、しかもこれらをそれぞれ二つ折りするとともにＤ３からＤ１に編み戻り、二つ折りのＤ１から「後」のＤ４に編み進み、Ｄ４からＤ７に編み進み、Ｄ７からＤ４に編み戻ってＤ８に編み進み、Ｄ８からＤ１２に編み進み、Ｄ１２を二つ折りにするとともに「後」でＤ１２からＤ８に編み戻り、Ｄ８からＤ１３に編み進み、Ｄ１３からＤ１６に編み進むとともにＤ１６を二つ折りにし、「前」でＤ１６からＤ１８に編み進み、Ｄ１８をＤ３に接続し、Ｄ１８からＤ１６に編み戻り、「後」でＤ１６からＤ１３に編み戻り、Ｄ１３からＤ１９に編み進むとともにＤ２１に編み進み、Ｄ２１を「前」に二つ折りにし、さらに「前」でＤ２１からＤ２４に編み進み、Ｄ３、Ｄ２に接続し、「前」のＤ２４から二つ折りのＤ２１に編み戻り、Ｄ２１から「後」でＤ１９まで編み戻り、Ｄ１９からＤ２５に編み進み、Ｄ２５、Ｄ２６と編み進むとともにＤ２６で「前」に二つ折りし、Ｄ２６からＤ３０に編み進む。「前」でＤ３０をＤ２、Ｄ１に接続し、このＤ３０からＤ２６に編み戻り、「後」でさらにＤ２６からＤ２５に編み戻ってＤ３１に編み進み、このＤ３１を「前」に二つ折りにし、Ｄ３６まで編み進む。Ｄ３６をＤ１、Ｃ２３に接続し、Ｄ３１に戻る。
【００３４】
前記Ｂ６０からＢ８９、Ｃ１からＣ２８、Ｄ１からＤ３６中、Ｂ８９とＤ３のみ径大モチーフ２であり、他はモチーフ１である。
【００３５】
ｅ．以上のようにＤは終了するが、糸玉Ｂは切らずにそのままの状態にし、さらに「後」でＤ３１からＤ２５、Ｄ１９、Ｄ１３、Ｄ８、Ｄ４、Ｄ１まで編み戻る。そしてＤ１からＣ２３、Ｃ２３からＣ１８に接続しながら戻り、さらにＣ１８をＤ３１に接続し、Ｄ３１から「後」のＣ１７（後、中心）まで進む。続いてＣ１７からＣ１６に再度接続し、Ｃ１６から「前」のＡ３４を接続しながら左袖口まで編み、袖口の始末をする。
【００３６】
つまりＡ３４からＡ３８を接続し、同糸でＢ４も接続した上、Ｂ４からＢ１まで接続する。またＡ１に残してあった糸で裾の始末をする（この裾の始末は従来からの周知方法と同じであり、より具体的な説明を省略する）。
【実施例２】
【００３７】
図４・５で示すものはモチーフ１を六角形、径大モチーフ２を七角形として編んだセーターの部分図で、当然その両脇を二つ折りに示したものであり、図４は各モチーフ１、２の外周の一部のみ、図５はモチーフ自体をも模式化して示すものである。
【００３８】
この実施例の場合、正七角形は分数で表現する以外にあり得ず、つまり事実上、無理があり、各辺は同一距離ではない。そのため六角形の各モチーフ１、径大（七角）モチーフ２とは各モチーフ１、２の外周の接続部分、つまり図７で示す山型部５、５、５・・・・及び接続用ループ６、６・・の長さ調節および糸の有する伸縮性により調節すればよい。ちなみに各モチーフ１あたりの山型部５は１２個、径大モチーフ２あたりの山型部５は１４個にして製作したところ成功したものである。
【符号の説明】
【００３９】
１  モチーフ
２  径大モチーフ
【図１】
2010236104.tif 000003
【図２】
2010236104.tif 000004
【図３】
2010236104.tif 000005
【図４】
2010236104.tif 000006
【図５】
2010236104.tif 000007
【図６】
2010236104.tif 000008
【図７】
2010236104.tif 000009
【図８】
2010236104.tif 000010
【図９】
2010236104.tif 000011
【図１０】
2010236104.tif 000012
【図１１】
2010236104.tif 000013
【図１２】
2010236104.tif 000014